(57)【要約】【課題】  無線区間での、端末局と基地局間のＡＲＰパケットのトラフィックを軽減することのできる無線アクセスシステムを得る。【解決手段】  端末局３００が、自身のＭＡＣアドレス３０３とＩＰアドレス３０４との対応関係に変更が発生した場合は、基地局２００に対してＡＲＰ要求を行う。基地局２００は、端末局３００よりＡＲＰ要求を受け取ると、端末局３００のＭＡＣアドレスとＩＰアドレスとを抽出してＡＲＰテーブル２０２に登録する。この状態で、任意の装置より、ＡＲＰテーブル２０２に登録されている端末局３００に対してＡＲＰ要求があった場合は、登録されている情報に基づいて端末局に代わってＡＲＰ応答を行う。【選択図】        図１
2006352572.tif 000002
【特許請求の範囲】
【請求項１】
基地局と端末局とが無線接続された無線アクセスシステムにおいて、
前記端末局は、自身のＭＡＣアドレスとＩＰアドレスとの対応関係に変更が発生した場合は、前記基地局に対してＡＲＰ要求を行い、
前記基地局は、前記端末局から無線接続要求パケットを受けた場合に、前記無線接続要求パケットに含まれる前記端末局のＭＡＣアドレスから、前記端末局に付与すべきＩＰアドレスを決定する機構を有し、かつ、前記端末局より前記ＡＲＰ要求を受け取った場合は、当該ＡＲＰ要求に基づいて、前記端末局のＭＡＣアドレスとＩＰアドレスとの対応関係を登録すると共に、任意の装置より、前記端末局に対してＡＲＰ要求があった場合は、前記登録されている情報に基づいて当該端末局に代わって、ＡＲＰ要求を発呼した前記装置に対してＡＲＰ応答を行うことを特徴とする無線アクセスシステム。
【請求項２】
端末局は、デフォルトＩＰアドレスまたは前回接続時のＩＰアドレスを保持するよう構成され、基地局との無線接続時に当該基地局より付与されたＩＰアドレスが、前記デフォルトＩＰアドレスまたは前回接続時のＩＰアドレスとは異なる場合、ＭＡＣアドレスとＩＰアドレスとの対応関係に変更が発生したと認識することを特徴とする請求項１記載の無線アクセスシステム。
【請求項３】
基地局は、任意の装置からＡＲＰ要求を受け取った場合、前記端末局のＭＡＣアドレスとＩＰアドレスとの対応関係を示すＡＲＰテーブルから、配下の端末局で該当するものがあるか否かを判定し、前記ＡＲＰ要求に含まれるＩＰアドレスに該当する端末局が存在する場合は、前記ＡＲＰテーブルから当該端末局のＭＡＣアドレスを取得してＡＲＰ応答パケットとして組み立てて、当該端末局に代わって、前記ＡＲＰ要求元装置に返し、一方、配下の端末局で該当するものがあるが、当該端末局がその時点で前記基地局から付与ＩＰアドレスの通知を受けているが、その応答として前記基地局にＡＲＰ要求を出し終わっていない場合は、前記ＡＲＰ要求元装置からのＡＲＰ要求パケットを前記端末局にのみ通知することを特徴とする請求項１または請求項２記載の無線アクセスシステム。
【請求項４】
無線アクセスシステムは、加入者系無線アクセスシステムであることを特徴とする請求項１から請求項３のうちのいずれか１項記載の無線アクセスシステム。
【発明の詳細な説明】
【技術分野】
【０００１】
この発明は、例えば、加入者系無線アクセスシステム（ＦＷＡ：Fixed Wireless Access）といった無線アクセスシステムに関し、特に、基地局配下の端末局のアドレス情報登録に関する。
【背景技術】
【０００２】
例えば、ＴＣＰ／ＩＰといったプロトコルでは、ＩＰ（Internet Protocol）アドレスが決まれば、宛先ＩＰアドレスに向けてデータを送信する。しかし、実際にデータリンクを確立して通信する時には、ＩＰアドレスを物理的なアドレスであるＭＡＣ（Media Access Control）アドレスに対応させる必要がある。このための手順として、ＡＲＰ（Address Resolution Protocol）が用いられる。宛先ＩＰアドレスを手がかりにして、パケットを受け取るべき装置のＭＡＣアドレスを知るために、ＰＣ等の端末がＩＰアドレスとＭＡＣアドレスとの対応関係を記憶するＡＲＰテーブルを備え、通信の際、このＡＲＰテーブルを参照して、宛先のＭＡＣアドレスを知る。
【０００３】
しかし、このＡＲＰテーブルの記憶内容は固定的なものではない。例えば、端末は、先ず、ＡＲＰリクエストパケットを送信し、所望の送信先からリプライを待って、自己の有するＡＲＰテーブルに新たに、送信先のＩＰアドレスとＭＡＣアドレスとの対応関係を記憶する。そして、この関係に従って通信を開始する。ところが、このＡＲＰリクエストが送信されるのは、所望の送信先に限られず、ネットワーク上の全ての装置に送信され、ネットワーク全体に大きな負荷をかけることになる。
【０００４】
また、従来の技術として、ＡＲＰテーブルの各登録エントリに関して、寿命時間に達したら、単純にこの登録エントリを削除せずに、端末毎にアドレス取得のためのパケット（ＡＲＰパケット）をＡＲＰリクエストとして送出し、そのリプライとしての、ＡＲＰリプライ情報を取得することで、ＬＡＮ間接続装置配下で通信を行っている端末全てのＭＡＣアドレス、ポート、上位層のサブネットアドレスを、ブリッジレベルで認識可能にするものがあった（例えば、特許文献１参照）。
【０００５】
また、その他の従来技術として、複数の通信端末が接続されるイーサネット（登録商標）スイッチで、通信端末から送信されたＩＰパケットを検出するＩＰパケット検出手段と、このＩＰパケット検出手段で検出されたＩＰパケットから、このＩＰパケットを送信した通信端末のＩＰアドレスを抽出するＩＰアドレス抽出手段と、このＩＰアドレス抽出手段で抽出されたＩＰアドレスとＭＡＣアドレステーブルに記憶されているＭＡＣアドレスとを通信端末毎に記憶するＡＲＰテーブルを備えたものがあった。
【０００６】
そして、このようなイーサネットスイッチは、通信端末から送信されるＡＲＰリクエストパケットに対して、ＡＲＰテーブルに記憶されている通信先端末が所望する送信先ＩＰアドレスとＭＡＣアドレスとの対応を参照して、ＡＲＰリプライパケットを生成し、このＡＲＰリプライパケットを、ＡＲＰリクエストパケットを送信した通信端末へ送信することにより、ＡＲＰリクエストパケットを送信した通信端末に対して、所望の送信先通信端末のＩＰアドレスとＭＡＣアドレスを通知するよう構成されていた（例えば、特許文献２参照）。
【０００７】
【特許文献１】特開平１０−３２５９７号公報
【特許文献２】特開２００２−２８１０５６号公報
【発明の開示】
【発明が解決しようとする課題】
【０００８】
従来の装置は以上のように構成されているので、例えば、特許文献１に記載されているような従来技術では、ＡＲＰテーブルの登録エントリを削除する寿命時間に達する度に、ＡＲＰリクエストを端末に送信する必要があるという問題点があった。また、特許文献２に記載されているような従来技術であっても、基地局と端末局との無線接続に際して、端末局からのアソシエーション要求に対して基地局がアソシエーション応答を返すような無線アクセスシステムでは、このような構成を単純に適用できないものがあった。
【０００９】
この発明は上記のような課題を解決するためになされたもので、無線区間での、端末局と基地局間のＡＲＰパケットのトラフィックを軽減することのできる無線アクセスシステムを得ることを目的とする。
【課題を解決するための手段】
【００１０】
この発明に係る無線アクセスシステムは、端末局が、自身のＭＡＣアドレスとＩＰアドレスとの対応関係に変更が発生した場合は、基地局に対してＡＲＰ要求を行う。基地局は、端末局から無線接続要求パケットを受けた場合に、その無線接続要求パケットに含まれる端末局のＭＡＣアドレスから、端末局に付与すべきＩＰアドレスを決定する。また、端末局よりＡＲＰ要求を受け取った場合は、ＡＲＰ要求から端末局のＭＡＣアドレスとＩＰアドレスとを抽出してその対応関係を登録する。この状態で、任意の装置より、ＭＡＣアドレスとＩＰアドレスが登録されている端末局に対してＡＲＰ要求があった場合は、登録されている情報に基づき、端末局に代わってＡＲＰ応答を行うようにしたものである。
【発明の効果】
【００１１】
この発明の無線アクセスシステムは、端末局は、自身のＭＡＣアドレスとＩＰアドレスとの対応関係に変更が発生した場合に基地局に対してＡＲＰ要求を行い、基地局は、端末局からのＡＲＰ要求に基づいて、端末局のＭＡＣアドレスとＩＰアドレスとの対応関係を登録するようにしたので、これらの対応関係の情報を得るために基地局から端末局に対してＡＲＰ要求を行う必要もなく、従って、端末局と基地局間のＡＲＰパケットのトラフィックを軽減することができる。
【発明を実施するための最良の形態】
【００１２】
実施の形態１．
図１は、この発明の実施の形態１による無線アクセスシステムを示す構成図である。
図において、無線アクセスシステム１００は、基地局２００と端末局３００からなり、この無線アクセスシステム１００とネットワーク装置４００とがネットワーク５００を介して接続されている。
【００１３】
本実施の形態の無線アクセスシステム１００は、例えば、加入者系無線アクセスシステム（ＦＷＡ）であり、基地局２００は、複数の端末局３００と無線接続されるよう構成されている。これらの端末局３００は、特定の基地局２００と接続関係（アソシエーション）を確立するもので、図面では端末局３００を１台のみ示している。基地局２００は、ネットワーク５００に接続されており、接続関係を確立している配下の端末局３００がネットワーク５００と通信する際に、ネットワーク５００と端末局３００とのパケットの中継を行う。また、ネットワーク装置４００は、ネットワーク５００を介して無線アクセスシステム１００に接続される装置であり、端末局３００のような無線接続装置とは異なる装置である。
【００１４】
基地局２００は、通信接続手段２０１、ＡＲＰテーブル２０２、ＡＲＰ制御手段２０３を備えている。
通信接続手段２０１は、端末局３００とのアソシエーションを確立するための機能部である。ＡＲＰテーブル２０２は、配下の端末局３００のＭＡＣアドレスとＩＰアドレスとの対応関係を示す。ＡＲＰ制御手段２０３は、端末局３００よりＡＲＰ要求を受け取った場合は、そのＡＲＰ要求に基づいて、端末局３００のＭＡＣアドレスとＩＰアドレスとの対応関係をＡＲＰテーブル２０２に登録すると共に、例えばネットワーク装置４００といった任意の装置より、端末局３００に対してＡＲＰ要求があった場合は、ＡＲＰテーブル２０２に登録されている情報に基づき、端末局３００に代わってＡＲＰ応答を行う。また、ＡＲＰ制御手段２０３は、いずれかの端末局３００に対してＡＲＰ要求があり、かつ、該当する情報がＡＲＰテーブル２０２に登録されていない場合は、全ての端末局３００に対してＡＲＰ要求を送信し、一方、アソシエーション確立後は、該当する端末局３００に対してのみＡＲＰ要求を送信する。
【００１５】
端末局３００は、通信接続手段３０１、判定手段３０２、ＭＡＣアドレス３０３、ＩＰアドレス３０４、ＡＲＰ制御手段３０５を備えている。通信接続手段３０１は、基地局２００とのアソシエーションを確立するための機能部である。即ち、端末局３００自身のＭＡＣアドレス３０３と、基地局２００のＭＡＣアドレスとを用いてアソシエーション要求を行い、また、基地局２００からのアソシエーション応答を受信する。判定手段３０２は、通信接続手段３０１が基地局２００からのアソシエーション応答を受け取った場合、これに含まれるＩＰアドレスと、記憶されている端末局３００自身のＩＰアドレス３０４とを比較して一致するか否かを判定する。また、ＡＲＰ制御手段３０５は、判定手段３０２で判定した結果、ＩＰアドレスが異なっていた場合は、基地局２００から付与されたＩＰアドレスを新たなＩＰアドレスとしてＩＰアドレス３０４を更新すると共に、このＩＰアドレスを用いて基地局２００へのＡＲＰ要求を行い、また、これに対する基地局２００からのＡＲＰ応答を受け取る。
【００１６】
図２は、基地局２００のハードウェアの概略構成の一例を示すブロック図である。
図示のように、基地局２００は、無線機２１１、レイヤ２スイッチ（Ｌ２ＳＷ）２１２、メディアコンバータ（ＭＣ）２１３、電源２１４、マウント２１５を備え、単一筐体に実装される。無線機２１１は、ＣＰＵ、ベースバンドチップ、無線チップから構成される無線基板、及びＲＦモジュール（ＨＰＡ，ＬＮＡ）を搭載した５ＧＨｚ帯ＯＦＤＭ方式無線送受信機である。尚、図面では各チップ等の構成は省略している。また、配下の端末局３００に関するＡＲＰテーブル２０２は、この無線機２１１で管理するよう構成されている。レイヤ２スイッチ２１２は、１芯双方向光モジュールを搭載したレイヤ２スイッチングハブである。メディアコンバータ２１３は、ＴＳ−１０００準拠の保守機能をサポートした光／電気変換器である。電源２１４は、ＡＣ１００ＶをＤＣ１２Ｖへ変換し、装置内の各部へ供給する電源である。マウント２１５は、各基板／ユニットのアラーム、エラーを示すＬＥＤを搭載し、基板間／ユニットの接続を行うケーブルコネクタ類を実装するものである。尚、これらのＬＥＤやコネクタ類についてもその図示は省略している。
【００１７】
図３は、端末局３００のハードウェアの概略構成の一例を示すブロック図である。
端末局３００は、端末局無線機３１１、室内機３１２、ＡＣアダプタ３１３からなる。端末局無線機３１１は防水構造で屋外に設置し、基地局２００とのインタフェース部を構成するもので、無線機本体３１１ａと指向性アンテナ３１１ｂを備えている。また、室内機３１２は、室内側のインタフェース部であり、１００BASE-TX／10BASE-Tで、パーソナルコンピュータやルータ等に接続されている。また、ＡＣアダプタ３１３は、ＡＣ１００Ｖを変換して室内機３１２や端末局無線機３１１への電源供給を行うための電源アダプタである。尚、図１における通信接続手段３０１〜ＡＲＰ制御手段３０５は、無線機本体３１１ａ内に設けられる構成である。
【００１８】
次に、実施の形態１の動作について説明する。
ＦＷＡのような無線アクセスシステムでは、ある基地局２００に所属する端末局３００は、ほとんど固定的であり、サービス会社から決まった端末局（ＭＡＣアドレスが明確であり、ＩＰアドレスは渡す際にデフォルトを付与）が各ユーザに支給されている。レアなケースとして、基地局２００のセル境界近辺に設置される端末局に関しては、周辺電波環境の影響で、端末局が拾う電波の受信感度の状態から、二つの別基地局のどちらか一方に接続される可能性がある（受信感度の良い基地局を選択して、そちらに接続される（ベストＡＰ（Access  Point）機能））。
【００１９】
また、接続しようとしてアソシエーションをかけた基地局において、収容されている端末局が多い場合、その基地局の負荷分散を行うため、端末局主導で接続する基地局を変更することがある（ロードシェア機能）。端末局は、自己のデフォルトＩＰアドレスを保有しているが、接続される基地局が上記のような事情で変更になる可能性がある。このため、デフォルト設定のままでは運用できない端末局があり、基地局より端末局にＩＰアドレスをアソシエーション時に付与する。
【００２０】
基地局にて付与するＩＰアドレスは、予め設定したＩＰアドレスリストの中のＩＰアドレスを使い回す。ＩＰアドレスリスト数は、最大アソシエーション数（基地局２００に接続できる端末局３００の最大数）と同数である。また、ロードシェア／ベストＡＰ機能により、端末局が他の基地局へ移動することがあるので、基地局側で、未使用のＩＰアドレスを開放する。
【００２１】
以上のような理由から、基地局２００は、自分の配下に所属する端末局３００については、基本的にＭＡＣアドレスとＩＰアドレスの対応関係情報（配下の端末局３００に関するＡＲＰテーブル２０２）を保持することができる（ＦＷＡのような無線アクセスサービスでは、半固定的なサービスであり、ユーザが明確なため可能である）。
【００２２】
基地局２００と端末局３００間の無線接続に際して、端末局３００からのアソシエーション要求（無線接続要求）に対して、基地局２００はアソシエーション応答（これを返すことで、最終的に端末局３００の接続を認める）を返す。アソシエーション要求フレームおよび応答フレームには、フレームの先頭にＭＡＣヘッダ（宛先と送信元のＭＡＣアドレスが含まれる）があり、基地局２００は、端末局３００から送信されてきたアソシエーション要求のＭＡＣヘッダから、端末局３００のＭＡＣアドレスを抽出し、それを基地局２００の持つＡＲＰテーブル２０２内のＭＡＣアドレスと比較することによって、それが既知のＭＡＣアドレスか否かを知ることができる。
【００２３】
図４は、基地局２００と端末局３００との接続処理のシーケンスを示す説明図である。
端末局３００の電源がオンになると、通信接続手段３０１は基地局２００へのアソシエーション要求を送出する（ステップＳＴ１）。このアソシエーション要求には、上述したように、端末局３００のＭＡＣアドレス３０３と、基地局２００のＭＡＣアドレスが含まれている。尚、端末局３００は、アソシエーション要求発呼前の基地局２００との接続シーケンスの早い段階で、接続する基地局２００のＭＡＣアドレスを取得する。基地局２００は、端末局３００からのアソシエーション要求を受信すると、通信接続手段２０１が、ＡＲＰテーブル２０２を参照し、その端末局３００のＭＡＣアドレスが既にあるか否かを判定する（ステップＳＴ２）。
【００２４】
ステップＳＴ２でＭＡＣアドレスが既知であった場合、このＭＡＣアドレスに対応するデフォルトのＩＰアドレスまたは前回付与したＩＰアドレスが、他の端末局に割り当てられていないかを判定し（ステップＳＴ３）、割り当てられていない場合は、デフォルトまたは前回付与したＩＰアドレスを付与し（ステップＳＴ４）、既に割り当てられていた場合は、未使用のＩＰアドレスを付与する（ステップＳＴ５）。即ち、端末局３００からのアソシエーション要求に対して、原則として、ＭＡＣアドレスに対応したデフォルトのＩＰアドレスを付与するが、既知でない端末局３００が先にアソシエーション要求を行った結果、デフォルトのＩＰアドレスが先に使用されていた場合は、別の未使用のＩＰアドレスを付与することになる。また、ステップＳＴ２において、ＭＡＣアドレスが既知でなかった場合は、ステップＳＴ５において、未使用のＩＰアドレスを付与する。
【００２５】
次に、通信接続手段２０１は、アソシエーション応答を端末局３００に対して行い（ステップＳＴ６）、その後、基地局のＩＰアドレスと端末局３００に付与するＩＰアドレスとを通知する（ステップＳＴ７）。端末局３００の通信接続手段３０１は、基地局２００からのＩＰアドレス通知を受信すると、含まれているＩＰアドレスを抽出し、これを判定手段３０２に渡す。判定手段３０２では、このＩＰアドレスと、デフォルトまたは記憶されている前回付与されたＩＰアドレス３０４とを比較し、ＩＰアドレスが異なっているかを判定する（ステップＳＴ８）。このステップＳＴ８において、ＩＰアドレスが一致している場合は、ＭＡＣアドレスとＩＰアドレスとのマッピング情報に変更はないため、基地局２００にＡＲＰ要求は行わない。
【００２６】
一方、ステップＳＴ８において、ＩＰアドレスが異なっていた場合は、ＭＡＣアドレスとＩＰアドレスとのマッピング情報に変更が発生したため、これを示す情報をＡＲＰ制御手段３０５に送信する。これにより、ＡＲＰ制御手段３０５は、基地局２００から付与されたＩＰアドレスを新たなＩＰアドレスとして、ＩＰアドレス３０４を更新すると共に、ＡＲＰ要求を行い、このことによって、端末局３００が新規に付与されたＩＰアドレスを受付け完了した事を通知する（ステップＳＴ９）。基地局２００のＡＲＰ制御手段２０３は、このＡＲＰ要求を受け取ると、受信したＡＲＰ要求に含まれる送信元のＭＡＣアドレスとＩＰアドレスにより、ＡＲＰテーブル２０２を更新する（ステップＳＴ１０）。また、端末局３００に対してＡＲＰ応答を返す（ステップＳＴ１１）。
【００２７】
また、端末局３００のＭＡＣアドレスとＩＰアドレスとのマッピング情報が変更される場合とは、ロードシェア／ベストＡＰ機能による接続される基地局２００が変更される事等に伴って付与されるＩＰアドレスが変更される場合以外に、次場合がある。例えば、端末局３００における基地局２００とのインタフェース部（図３における端末局無線機３１１）の交換や、端末局３００そのものの交換等により、端末局３００のＭＡＣアドレスが変更された場合がある。
【００２８】
また、基地局２００のセル境界に位置する端末局３００が、受信感度の状態あるいは基地局２００の負荷状態によって、新たに接続要求を行う場合等がある。即ち、端末局３００は、前回アソシエーション（直前にアソシエーション）した基地局２００のＭＡＣアドレスを記憶するよう構成されており、今回アソシエーション確立した相手の基地局２００が、前回とは異なる場合、ＡＲＰ要求を自動的に送信する仕組みを有している。端末局３００の電源がオフとなっても、電源オフ直前にアソシエーション確立していた基地局２００のＭＡＣアドレスや端末局３００のＩＰアドレス３０４は記憶されているため、電源オン後、別の基地局２００にアソシエーション確立した場合は、その基地局２００から付与されるＩＰアドレスが異なることから、新たに接続された基地局２００にＡＲＰ要求を送信することになる。
【００２９】
このような状態で、ネットワーク装置４００が基地局２００配下のいずれかの端末局３００に対するＡＲＰ要求を行った場合の動作は次の通りである。
即ち、基地局２００がネットワーク装置４００からこのＡＲＰ要求を受けると、ＡＲＰ制御手段２０３は、自己が管理しているＡＲＰテーブル２０２から、配下の端末局３００で該当するものがあるか否かを確認する。ＡＲＰ要求に含まれるＩＰアドレスに該当する端末局３００が存在する場合、その端末局３００のＭＡＣアドレスを検索して、それをＡＲＰリプライパケットとして組立て、ＡＲＰ要求元であるネットワーク装置４００に返す。
【００３０】
もしも該当する端末局があるが、その該当する端末局３００がその時点で非アクティブである場合（図４の例では、ステップＳＴ７にて基地局ＩＰアドレス、付与ＩＰアドレスを端末局３００に通知しているが、端末局３００からはステップＳＴ９のＡＲＰ要求を受け取っていない場合）、ネットワーク装置４００から受けたＡＲＰリクエストパケットを、配下の該当する端末局３００に通知する（なぜなら、その間の時間差で、該当する端末局３００がアクティブになる可能性があるからである）。もしも該当する端末局がなければ、基地局２００は何もしない。
【００３１】
また、基地局２００は、端末局３００とのアソシエーション接続をしていく中でＩＰアドレスを端末局３００に付与し、アソシエーション確立後（ステップＳＴ６以降）、端末局３００に基地局のＩＰアドレスと端末局３００に付与するＩＰアドレスを通知し、付与するＩＰアドレスが端末局３００にとって新規のＩＰアドレスである場合、端末局３００からのＡＲＰ要求を待つが、この状態でネットワーク装置４００から端末局３００にＡＲＰ要求が来た場合は次のように動作を行う。ＡＲＰ制御手段２０３は、そのＡＲＰ要求をみて、ＡＲＰテーブル２０２内に該当する端末局３００があれば、配下の端末局３００に代わってネットワーク装置４００にＡＲＰ応答を行う。即ち、この場合の端末局３００に付与したＩＰアドレスは、ＡＲＰテーブル２０２内に既にあったＩＰアドレスであるため、ＡＲＰテーブル２０２内のＭＡＣアドレスとＩＰアドレスは、端末局３００のものと一致していることから代理応答することができる。
【００３２】
尚、端末局３００から、例えばネットワーク装置４００や他の端末局３００に対してＡＲＰ要求が送信された場合のＡＲＰ制御手段２０３の動作は、上述した動作と同様である。即ち、ＡＲＰ応答をその端末局３００に返し、また、ＡＲＰテーブル２０２における端末局３００の該当する情報の更新を行う。
【００３３】
以上のように、実施の形態１の無線アクセスシステムによれば、基地局と端末局とが無線接続された無線アクセスシステムにおいて、端末局は、自身のＭＡＣアドレスとＩＰアドレスとの対応関係に変更が発生した場合は、基地局に対してＡＲＰ要求を行い、基地局は、端末局から無線接続要求パケットを受けた場合に、無線接続要求パケットに含まれる端末局のＭＡＣアドレスから、端末局に付与すべきＩＰアドレスを決定する機構を有し、かつ、端末局よりＡＲＰ要求を受け取った場合は、ＡＲＰ要求に基づいて、端末局のＭＡＣアドレスとＩＰアドレスとの対応関係を登録すると共に、任意の装置より、端末局に対してＡＲＰ要求があった場合は、登録されている情報に基づいて端末局に代わって、ＡＲＰ要求を発呼した前記装置に対してＡＲＰ応答を行うようにしたので、ＭＡＣアドレスとＩＰアドレスの対応関係の情報を得るために基地局から端末局に対してＡＲＰ要求を行う必要がなく、従って、端末局と基地局間のＡＲＰパケットのトラフィックを軽減することができる。
【００３４】
また、実施の形態１の無線アクセスシステムによれば、端末局は、デフォルトＩＰアドレスまたは前回接続時のＩＰアドレスを保持するよう構成され、基地局との無線接続時に基地局より付与されたＩＰアドレスが、デフォルトＩＰアドレスまたは前回接続時のＩＰアドレスとは異なる場合、ＭＡＣアドレスとＩＰアドレスとの対応関係に変更が発生した事を認識するようにしたので、これらの対応関係の変更有無を容易かつ確実に判定することができる。
【００３５】
また、実施の形態１の無線アクセスシステムによれば、基地局は、任意の装置からＡＲＰ要求を受け取った場合、端末局のＭＡＣアドレスとＩＰアドレスとの対応関係を示すＡＲＰテーブルから、配下の端末局で該当するものがあるか否かを判定し、ＡＲＰ要求に含まれるＩＰアドレスに該当する端末局が存在する場合は、ＡＲＰテーブルから端末局のＭＡＣアドレスを取得してＡＲＰ応答パケットとして組み立てて、端末局に代わって、ＡＲＰ要求元装置に返し、一方、配下の端末局で該当するものがあるが、端末局がその時点で基地局から付与ＩＰアドレスの通知を受けているが、その応答として基地局にＡＲＰ要求を出し終わっていない場合は、ＡＲＰ要求元装置からのＡＲＰ要求パケットを該当する端末局にのみ通知するようにしたので、その該当端末局がその時点で非アクティブであってもＡＲＰ要求を配下の端末局全体に送信することなく、従って無線のネットワークのパケット負荷を軽減することができる。
【００３６】
また、実施の形態１の無線アクセスシステムによれば、無線アクセスシステムは、加入者系無線アクセスシステムであるとしたので、ベストＡＰ機能やロードシェア機能により端末局が他の基地局に移動する場合や、端末局のＭＡＣアドレスが変更された場合でも十分に対応できる。
【図面の簡単な説明】
【００３７】
【図１】この発明の実施の形態１による無線アクセスシステムを示す構成図である。
【図２】この発明の実施の形態１による無線アクセスシステムにおける基地局のハードウェアの概略構成の一例を示すブロック図である。
【図３】この発明の実施の形態１による無線アクセスシステムにおける端末局のハードウェアの概略構成の一例を示すブロック図である。
【図４】この発明の実施の形態１による無線アクセスシステムの動作を示す説明図である。
【符号の説明】
【００３８】
１００  無線アクセスシステム、２００  基地局、２０１  通信接続手段、２０２  ＡＲＰテーブル、２０３  ＡＲＰ制御手段、３００  端末局、３０１  通信接続手段、３０２  判定手段、３０３  ＭＡＣアドレス、３０４  ＩＰアドレス、３０５  ＡＲＰ制御手段。
【図１】
2006352572.tif 000003
【図２】
2006352572.tif 000004
【図３】
2006352572.tif 000005
【図４】
2006352572.tif 000006